(57)【要約】      （修正有）【課題】踏段とスカートガードとの隙間から異物が侵入しても、例えば、隣接した踏段の間にこの異物が挟まることを抑制することができるマンコンベアを得る。【解決手段】無端状に連結され、循環移動する複数の踏段６と、この踏段６の側面に隙間を保って対向して設けられたスカートガードと、踏段６の循環軌道に沿って設けられ、踏段６を支持した駆動レール７ａとを備えたエスカレータにおいて、駆動レール７ａに支持され、隙間から侵入した異物１３を収集する異物収集体１０を備え、異物収集体１０は、隙間の直下に配置されている。【選択図】図２
2009202960.tif 000002
【特許請求の範囲】
【請求項１】
無端状に連結され、循環移動する複数の踏段と、
前記踏段の側面に隙間を保って対向して設けられたスカートガードと、
前記踏段の循環軌道に沿って設けられ、前記踏段を支持した踏段レールとを備えたマンコンベアにおいて、
前記隙間の直下に配置され、前記踏段レールに支持された、前記隙間から侵入した異物を収集する異物収集体を備えたことを特徴とするマンコンベア。
【請求項２】
前記異物収集体は、前記踏段レールに設けられた支持体を介して支持されていることを特徴とする請求項１に記載のマンコンベア。
【請求項３】
前記異物収集体は、前記踏段側の一端部が他端部より上方となるように傾斜して配置されていることを特徴とする請求項２に記載のマンコンベア。
【請求項４】
前記異物収集体は、断面コ字形状であることを特徴とする請求項２または請求項３に記載のマンコンベア。
【発明の詳細な説明】
【技術分野】
【０００１】
この発明は、無端状に連結された、循環移動する複数の踏段と、踏段の側面に隙間を保って設けられたスカートガードとを備えたマンコンベアに関する。
【背景技術】
【０００２】
従来、無端状に連結された、循環移動する複数の踏段と、前記踏段の側面に隙間を保って設けられたスカートガードとを備えたエスカレータが知られている（例えば、特許文献１参照）。
【０００３】
【特許文献１】特開２００１−１３９２５５号公報
【発明の開示】
【発明が解決しようとする課題】
【０００４】
しかしながら、このものの場合、踏段とスカートガードとの隙間から異物が侵入し、この異物が、例えば、隣接した踏段の間に挟まることで、踏段が所定の姿勢を維持することが困難となってしまうという問題点があった。
【０００５】
この発明は、上述のような問題点を解決することを課題とするものであって、その目的は、踏段とスカートガードとの隙間から異物が侵入しても、例えば、隣接した踏段の間にこの異物が挟まることを抑制することができるマンコンベアを提供するものである。
【課題を解決するための手段】
【０００６】
この発明に係るマンコンベアは、無端状に連結され、循環移動する複数の踏段と、前記踏段の側面に隙間を保って対向して設けられたスカートガードと、前記踏段の循環軌道に沿って設けられ、前記踏段を支持した踏段レールとを備えたマンコンベアにおいて、前記隙間の直下に配置され、前記踏段レールに支持された、前記隙間から侵入した異物を収集する異物収集体を備えている。
【発明の効果】
【０００７】
この発明に係るマンコンベアによれば、踏段とスカートガードとの隙間の直下に、隙間から侵入した異物を収集する異物収集体が配置されているので、踏段とスカートガードとの隙間から異物が侵入しても、例えば、隣接した踏段の間にこの異物が挟まることを抑制することができる。
【発明を実施するための最良の形態】
【０００８】
以下、この発明の各実施の形態を図に基づいて説明するが、各図において、同一または相当の部材、部位については、同一符号を付して説明する。
実施の形態１．
図１はこの実施の形態に係るエスカレータを示す全体図、図２は図１のＩＩ−ＩＩ線に沿った矢視断面図、図３は図２のＡ部拡大図である。
この実施の形態に係るマンコンベアであるエスカレータは、建設梁間に固定された主枠１と、この主枠１の上部側に配置された、駆動装置２によって回転する上部スプロケット３と、主枠１の下部側に配置された回転可能な下部スプロケット４と、上部スプロケット３と下部スプロケット４との間に巻き掛けられた無端状の踏段鎖５と、踏段鎖５に取り付けられた、踏段鎖５とともに循環移動する複数の踏段６と、踏段６の循環起動に沿って配置された、踏段６を支持した踏段レール７とを備えている。
駆動装置２が駆動することで、上部スプロケット３が回転し、連動して、踏段鎖５および踏段６が循環移動する。
踏段レール７は、踏段鎖５に連結された踏段６の駆動ローラ８ａが転動する駆動レール７ａと、踏段６の追従ローラ８ｂが転動する追従レール７ｂとを有している。
駆動レール７ａは、フォーミング成形により凹状に形成されている。なお、駆動レール７ａは凸状に形成されてもよい。
追従レール７ｂは、形鋼材等から構成されている。
【０００９】
また、このエスカレータは、主枠１の内側であって、踏段６の側面から所定の隙間を保って配置されたスカートガード９と、踏段６の側面とスカートガード９とのそれぞれの隙間の直下に設けられた異物収集体１０と、駆動レール７ａの下側に一端部が固定され、他端部が異物収集体１０を支持した支持体であるブラケット１１とを備えている。
異物収集体１０は、断面コ字形状に形成されており、隙間から侵入した、例えば、貨幣または厚紙等の異物１３を収集する。
ブラケット１１は、他端部が水平方向となるように、踏段６の内側に向かって屈曲されており、この他端部の上に異物収集体１０が配置されている。
また、ブラケット１１は、往路側にある踏段６を支持した駆動レール７ａの領域に固定されている。これにより、駆動レール７ａと異物収集体１０との間の距離が小さくなり、ブラケット１１を小型化することができる。
なお、異物収集体１０は、断面コ字形状に限らず、例えば、平面形状、曲面形状等であってもよい。
また、ブラケット１１は、駆動レール７ａに限らず、追従レール７ｂに固定されてもよい。このものの場合、ブラケット１１は、追従レール７ｂの底面または側面に固定される。
【００１０】
図４は図２のエスカレータの要部を示す平面図、図５は図２のエスカレータの要部を示す側面図である。
主枠１は、間隔をおいて配置された複数の縦部材１２を有している。
縦部材１２は、一端部が踏段６の進行方向に沿って延び、他端部が踏段６の内側に向かって延びて形成されている。
異物収集体１０の長手方向の長さは、隣接した縦部材１２の他端部間の長さとほぼ同一となるように形成されている。
なお、主枠１における縦部材１２の位置によって、隣接した縦部材１２の他端部間の長さが異なる場合には、それぞれの隣接した縦部材１２の他端部間の長さに合わせて、異物収集体１０の長手方向の長さを決定する。
踏段６の側面とスカートガード９との隙間の直下には、踏段６の循環軌道に沿って、連続的に異物収集体１０が配置されている。
その結果、異物１３が、踏段６の循環軌道に沿って任意の位置から、踏段６の側面とスカートガード９との隙間に侵入しても、異物収集体１０に収容される。
【００１１】
この実施の形態に係るエスカレータによれば、踏段６とスカートガード９との隙間の直下には、隙間から侵入した異物１３を収集する異物収集体１０が配置されているので、踏段６とスカートガード９との隙間から異物１３が侵入しても、例えば、帰路側にある隣接した踏段の６間にこの異物１３が挟まることを抑制することができる。
その結果、踏段６は所定の姿勢を維持することができ、また、異物１３による踏段６の損傷を低減することができる。
【００１２】
また、異物収集体１０は、駆動レール７ａに固定されたブラケット１１を介して支持されているので、簡単に、踏段６とスカートガード９との隙間の直下に配置することができる。
【００１３】
また、異物収集体１０が断面コ字形状であるので、異物収集体１０に収集された異物１３が、異物収集体１０から飛び出して落下することを抑制することができる。
【００１４】
実施の形態２．
図６はこの実施の形態に係るエスカレータの要部を示す説明図である。
この実施の形態に係るエスカレータは、ブラケット１１における踏段６側の端部である他端部が一端部より上方となるように、踏段６の内側に向かって屈曲されており、この傾斜された他端部の上に異物収集体１０が配置されている。
これにより、異物収集体１０における踏段６側の一端部が他端部より上方となるように傾斜して配置される。
その他の構成は実施の形態１と同様である。
【００１５】
この実施の形態に係るエスカレータによれば、異物収集体１０が踏段６側の一端部が他端部より上方となるように傾斜して配置されているので、異物収集体１０に収集された異物１３が、異物収集体１０から飛び出して、踏段６の内側に向かって落下することを抑制することができる。
【００１６】
なお、上記各実施の形態では、マンコンベアとして、エスカレータを例に説明したが、勿論このものに限らず、動く歩道であってもよい。
【図面の簡単な説明】
【００１７】
【図１】この発明の実施の形態１に係るエスカレータを示す全体図である。
【図２】図１のＩＩ−ＩＩ線に沿った矢視断面図である。
【図３】図２のＡ部拡大図である。
【図４】図２のエスカレータの要部を示す平面図である。
【図５】図２のエスカレータの要部を示す側面図である。
【図６】この発明の実施の形態２に係るエスカレータの要部を示す説明図である。
【符号の説明】
【００１８】
１  主枠、２  駆動装置、３  上部スプロケット、４  下部スプロケット、５  踏段鎖、６  踏段、７  踏段レール、７ａ  駆動レール、７ｂ  追従レール、８ａ  駆動ローラ、８ｂ  追従ローラ、９  スカートガード、１０  異物収集体、１１  ブラケット（支持体）、１２  縦部材、１３  異物。
【図１】
2009202960.tif 000003
【図２】
2009202960.tif 000004
【図３】
2009202960.tif 000005
【図４】
2009202960.tif 000006
【図５】
2009202960.tif 000007
【図６】
2009202960.tif 000008